(57)【要約】      （修正有）【課題】画質の低下を抑えつつ監視のために用いる装置を効果的に設置可能である、監視者の用いる装置と監視のために用いる装置との通信を仲介する通信機器および通信機器セットを提供する。【解決手段】親機１００Ａは、監視者の用いる装置に接続されたＬＡＮ（Ｌｏｃａｌ  Ａｒｅａ  Ｎｅｔｗｏｒｋ）ケーブルを接続するためのＬＡＮポート１３と、監視のために用いる装置と通信可能な子機に接続された同軸ケーブルを接続するためのケーブル差込口１５と、同軸ケーブルを介して電力供給するか否かの切り替えを指示するためのスイッチ１４とを備え、スイッチ１４での指示に従って、電力を同軸ケーブルを介して出力するか否かを切り替える。【選択図】図２
0003199753.tif 000002
【実用新案登録請求の範囲】
【請求項１】
第１の装置である監視者の用いる装置に接続されたＬＡＮ（Local  Area  Network）ケーブルを接続するための第１の端子と、
監視のために用いる装置と通信可能な第２の装置に接続された同軸ケーブルを接続するための第２の端子と、
商用電源に接続して電力を取り込むための接続部と、
前記第２の端子に接続された前記同軸ケーブルを介して電力供給するか否かの切り替えを指示するためのスイッチと、
前記商用電源から取り込まれた電力を前記第２の端子に接続された前記同軸ケーブルを介して出力するための電力出力機構と、
前記第１の端子に接続された前記ＬＡＮケーブルによって接続された前記第１の装置と、前記第２の端子に接続された前記同軸ケーブルによって接続された前記第２の装置とのデータ通信を中継するための通信機構と、
前記スイッチでの指示に従って、前記電力出力機構のオン／オフを切り替えるための切替機構と、を備える、通信機器。
【請求項２】
監視のために用いる装置に接続されたＬＡＮ（Local  Area  Network）ケーブルを接続するための第１の端子と、
第１の装置である監視者の用いる装置と通信可能な第２の装置に接続された同軸ケーブルを接続するための第２の端子と、
前記第２の端子に接続された前記同軸ケーブルを介して入力された電力の少なくとも一部を、前記第１の端子に接続された前記ＬＡＮケーブルを介して出力するための電力転送機構と、
前記第１の端子に接続された前記ＬＡＮケーブルによって接続された前記第１の装置と、前記第２の端子に接続された前記同軸ケーブルによって接続された前記第２の装置とのデータ通信を中継するための通信機構と、を備える、通信機器。
【請求項３】
前記第１の端子に接続された前記ＬＡＮケーブルを介して電力供給するか否かの切り替えを指示するためのスイッチと、
前記スイッチでの指示に従って、前記電力転送機構のオン／オフを切り替えるための切替機構と、をさらに備える、請求項２に記載の通信機器。
【請求項４】
第１の装置である監視者の用いる装置と通信可能な第１の通信機器と、
監視のために用いる装置と通信可能な第２の通信機器と、を備え、
前記第１の通信機器と前記第２の通信機器とは、それぞれ、
同軸ケーブルを接続するための端子と、
前記第１の通信機器に接続された前記第１の装置と前記第２の通信機器に接続された前記監視のために用いる装置とのデータ通信を中継するための通信機構と、を含み、
前記第１の通信機器は、
商用電源から取り込まれた電力を前記端子に接続された前記同軸ケーブルを介して出力するための電力出力機構と、
前記スイッチでの指示に従って、前記電力出力機構のオン／オフを切り替えるための切替機構と、をさらに含み、
前記第２の通信機器は、
前記端子に接続された前記同軸ケーブルを介して前記第１の通信機器から入力された電力、または商用電源から取り込まれた電力の少なくとも一部を、前記第２の通信機器に接続された前記監視のために用いる装置に出力するための電力転送機構をさらに含む、通信機器セット。
【考案の詳細な説明】
【技術分野】
【０００１】
この開示は通信機器および通信機器セットに関し、特に、監視者の用いる装置と監視のために用いる装置との通信を仲介する通信機器および当該通信機器を含んだ通信機器セットに関する。
【背景技術】
【０００２】
カメラの映像をモニタを搭載したパソコン（パーソナルコンピュータ）に取り込む、遠隔監視システムがある。特開２０１５−１０３８５１号公報（特許文献１）に開示されているように、遠隔監視システムでは、カメラの映像をＬＡＮ（Local  Area  Network）ケーブルでパソコンに取り込むことがよくなされている。
【先行技術文献】
【特許文献】
【０００３】
【特許文献１】特開２０１５−１０３８５１号公報
【考案の概要】
【考案が解決しようとする課題】
【０００４】
しかしながら、ＬＡＮケーブルを介した通信は外環境の影響を受けやすいためにデータにノイズが混入しやすい。そのため、ＬＡＮケーブルを介して画像データを送受信する遠隔監視システムでは画像の質が低下するおそれがある。または、画質を保持するために送受信双方において誤り訂正などの処理が必要となってくる。さらに、カメラがパソコンからより遠隔に設置される場合にはＬＡＮケーブルが長くなるため、画質がより低下しやすい。また、その場合、カメラの設置場所によってはカメラへの電力供給が難しい場合もある。
【０００５】
本開示のある局面における目的は、監視者の用いる装置と監視のために用いる装置との通信を仲介する通信機器であって、画質の低下を抑えつつ監視のために用いる装置を遠隔地にも設置可能な通信機器を提供することである。また、本開示のある局面における目的は、監視者の用いる装置と監視のために用いる装置との通信を仲介する通信機器を含んだ通信機器セットであって、画質の低下を抑えつつ監視のために用いる装置を遠隔地にも設置可能な通信機器セットを提供することである。
【課題を解決するための手段】
【０００６】
ある実施の形態に従うと、通信機器は、第１の装置である監視者の用いる装置に接続されたＬＡＮ（Local  Area  Network）ケーブルを接続するための第１の端子と、監視のために用いる装置と通信可能な第２の装置に接続された同軸ケーブルを接続するための第２の端子と、商用電源に接続して電力を取り込むための接続部と、第２の端子に接続された同軸ケーブルを介して電力供給するか否かの切り替えを指示するためのスイッチと、商用電源から取り込まれた電力を第２の端子に接続された同軸ケーブルを介して出力するための電力出力機構と、第１の端子に接続されたＬＡＮケーブルによって接続された第１の装置と、第２の端子に接続された同軸ケーブルによって接続された第２の装置とのデータ通信を中継するための通信機構と、スイッチでの指示に従って、電力出力機構のオン／オフを切り替えるための切替機構とを備える。
【０００７】
他の実施の形態に従うと、通信機器は、監視のために用いる装置に接続されたＬＡＮケーブルを接続するための第１の端子と、第１の装置である監視者の用いる装置と通信可能な第２の装置に接続された同軸ケーブルを接続するための第２の端子と、第２の端子に接続された同軸ケーブルを介して入力された電力の少なくとも一部を、第１の端子に接続されたＬＡＮケーブルを介して出力するための電力転送機構と、第１の端子に接続されたＬＡＮケーブルによって接続された第１の装置と、第２の端子に接続された同軸ケーブルによって接続された第２の装置とのデータ通信を中継するための通信機構とを備える。
【０００８】
他の実施の形態に従うと、通信機器セットは、第１の装置である監視者の用いる装置と通信可能な第１の通信機器と、監視のために用いる装置と通信可能な第２の通信機器と、を備える。第１の通信機器と第２の通信機器とは、それぞれ、同軸ケーブルを接続するための端子と、第１の通信機器に接続された第１の装置と第２の通信機器に接続された監視のために用いる装置とのデータ通信を中継するための通信機構と、を含む。第１の通信機器は、商用電源から取り込まれた電力を端子に接続された同軸ケーブルを介して出力するための電力出力機構と、スイッチでの指示に従って、電力出力機構のオン／オフを切り替えるための切替機構と、をさらに含む。第２の通信機器は、端子に接続された同軸ケーブルを介して第１の通信機器から入力された電力、または商用電源から取り込まれた電力の少なくとも一部を、第２の通信機器に接続された監視のために用いる装置に出力するための電力転送機構をさらに含む。
【考案の効果】
【０００９】
この開示によると、監視者の用いる装置と監視のために用いる装置との通信を仲介する通信機器を利用して、画質の低下を抑えつつ、監視のために用いる装置を遠隔地にも設置可能とする。
【図面の簡単な説明】
【００１０】
【図１】実施の形態にかかる監視システムの構成を説明するための図である。
【図２】監視システムに含まれる親機（図２（Ａ））および子機（図２（Ｂ））それぞれの外観を説明するための概略図である。
【図３】親機のハードウェア構成の一例を表わしたブロック図である。
【図４】子機のハードウェア構成の一例を表わしたブロック図である。
【図５】監視システムでの、電力供給の流れの１つのパターンを説明するための図である。
【図６】監視システムでの、電力供給の流れの１つのパターンを説明するための図である。
【図７】監視システムでの、電力供給の流れの１つのパターンを説明するための図である。
【図８】監視システムでの、電力供給の流れの１つのパターンを説明するための図である。
【考案を実施するための形態】
【００１１】
以下に、図面を参照しつつ、本考案の実施の形態について説明する。以下の説明では、同一の部品および構成要素には同一の符号を付してある。それらの名称および機能も同じである。したがって、これらの説明は繰り返さない。
【００１２】
＜システム構成＞
図１は、本実施の形態にかかる監視システムの構成を説明するための図である。図１を参照して、本実施の形態にかかる監視システムは、カメラ５００と、モニタを搭載したＰＣ（パーソナルコンピュータ）３００とを含む。カメラ５００とＰＣ３００との間には、親側通信機器（以下、親機）１００Ａおよび子側通信機器（以下、子機）１００Ｂを含む通信機器セットが接続される。
【００１３】
カメラ５００は、いわゆるＩＰカメラと呼ばれるカメラであって、ＴＣＰ（Transmission  Control  Protocol）／ＩＰ（Internet  Protocol）などのインターネットなどで標準的に用いられる通信プロトコルに従って画像データや音声データを出力可能なカメラである。ＰＣ３００は、一般的なコンピュータであってよい。
【００１４】
カメラ５００は子機１００ＢとＬＡＮ（Local  Area  Network）ケーブル９００Ｂで接続される。ＰＣ３００は親機１００ＡとＬＡＮケーブル９００Ａで接続される。親機１００Ａと子機１００Ｂとは、同軸ケーブル７００で接続される。同軸ケーブル７００は、壁面空間などに予め設置されている同軸ケーブルを利用することができる。
【００１５】
＜装置構成＞
図２（Ａ）および図２（Ｂ）は、親機１００Ａおよび子機１００Ｂそれぞれの外観を説明するための概略図である。図３および図４は、親機１００Ａおよび子機１００Ｂそれぞれのハードウェア構成の一例を表わしたブロック図である。親機１００Ａおよび子機１００Ｂは、外観およびハードウェア構造ともに概ね同じである。そのため、図２（Ａ）〜図４においては、同じ構成には同じ参照符号が付されている。
【００１６】
図２（Ａ）を参照して、親機１００Ａは、ＬＡＮケーブル９００Ａを接続するための第１の端子であるＬＡＮポート１３と、同軸ケーブル７００を接続するための第２の端子であるケーブル差込口１５と、商用電源に接続された電源ケーブル（図示せず）を接続して商用電源から電力を取り込むための接続部１６とを有する。
【００１７】
さらに、親機１００Ａは、後述する同軸ケーブル７００を介した電力供給である同軸給電（ＰｏＣ：Power  over  Coaxial  cable）のオン／オフの切り替えを指示するためのスイッチ１４をさらに有する。スイッチ１４は、図２（Ａ）に表わされたように、オン／オフの切り替えをレバーの左右によって指示するタンブラスイッチなどであってよい。
【００１８】
また、親機１００Ａは、各動作の状況を照明のオン／オフで表わすためのＬＥＤ（Light  Emitting  Diode）２１をさらに有してもよい。
【００１９】
図２（Ｂ）を参照して、子機１００Ｂは、ＬＡＮケーブル９００Ｂを接続するための第１の端子であるＬＡＮポート１３と、同軸ケーブル７００を接続するための第２の端子であるケーブル差込口１５とを有する。子機１００Ｂは、図２（Ｂ）に表わされたように商用電源に接続された電源ケーブル（図示せず）を接続して商用電源から電力を取り込むための接続部１６をさらに有してもよいし、接続部１６を有さなくてもよい。
【００２０】
さらに、子機１００Ｂは、後述するＬＡＮケーブルを介した電力供給であるＰｏＥ（Power  over  Ethernet（登録商標））給電のオン／オフの切り替えを指示するためのスイッチ２２をさらに有する。スイッチ２２もまた、図２（Ａ）に表わされたように、オン／オフの切り替えをレバーの左右によって指示するタンブラスイッチなどであってよい。
【００２１】
また、子機１００Ｂは、各動作の状況をオン／オフで表わすためのＬＥＤ２１をさらに有してもよい。
【００２２】
図３を参照して、親機１００Ａは、装置全体を制御するためのＣＰＵ（Central  Processing  Unit）１０と、ＣＰＵ１０で実行されるプログラムを記憶するためのＲＯＭ（Read  Only  Memory）１１と、各種データを記憶したりＣＰＵ１０でプログラムを実行する際の作業領域になったりするＲＡＭ（Random  Access  Memory）１２とを含む。
【００２３】
さらに、親機１００Ａは、電力入力部１７と、データ入出力部１８と、電力出力部１９と、切替部２０と、電力管理部２３と、通信部２４とを含む。
【００２４】
電力入力部１７は、接続部１６に接続された、商用電源に接続された電源ケーブル（図示せず）を介して商用電源から供給される電力を受け付け、電力管理部２３に該電力を供給する。
【００２５】
データ入出力部１８は、ＬＡＮポート１３に接続されたＬＡＮケーブル９００Ａを介したデータの入出力を行なう。データ入出力部１８は、ＬＡＮケーブル９００Ａを介して入力されたデータを通信部２４に渡す。また、データ入出力部１８は、通信部２４から渡されたデータをＬＡＮポート１３に接続されたＬＡＮケーブル９００Ａを介して出力する。
【００２６】
また、データ入出力部１８は、ケーブル差込口１５に接続された同軸ケーブル７００を介したデータの入出力を行なう。データ入出力部１８は、同軸ケーブル７００を介して入力されたデータを通信部２４に渡す。また、データ入出力部１８は、通信部２４から渡されたデータをケーブル差込口１５に接続された同軸ケーブル７００を介して出力する。
【００２７】
電力出力部１９は、電力管理部２３から供給された電力を、ケーブル差込口１５に接続された同軸ケーブル７００を介して出力する。切替部２０は、スイッチ１４での指示に従って、電力出力部１９での電力出力のオン／オフを切り替える。
【００２８】
電力管理部２３は、商用電源から入力された電力を電力出力部１９に供給し、同軸ケーブル７００を介して出力させる制御を行なう。その際に、電力管理部２３は、切替部２０からの信号に基づいて電力出力部１９から電力を出力させるか否かを判断する。スイッチ１４がオフの場合には、電力管理部２３は電力出力部１９に同軸ケーブル７００を介した電力の出力を行なわせない。この場合、電力管理部２３は電力出力部１９に電力を供給しなくてもよい。
【００２９】
通信部２４は、ＬＡＮケーブル９００Ａを介して入力されたデータを同軸ケーブル７００を介して出力するよう、データ入出力部１８を制御する。また、通信部２４は、同軸ケーブル７００を介して入力されたデータをＬＡＮケーブル９００Ａを介して出力するよう、データ入出力部１８を制御する。その際に、通信部２４は、必要に応じてデータの変換処理を実行してもよい。これにより、通信部２４は、後述する子機１００Ｂの通信部２４と協働して、ＬＡＮケーブル９００Ａによって接続されたＰＣ３００と、同軸ケーブル７００によって接続された子機１００Ｂに接続されたカメラ５００とのデータ通信を中継する。
【００３０】
図３では、親機１００Ａのすべての構成がハードウェアであるものとしている。しかしながら、少なくとも一部の構成が、ＣＰＵ１０がＲＯＭ１１に記憶されているプログラムをＲＡＭ１２上に読み出して実行することによってＣＰＵ１０で実現される、ソフトウェアによる構成であってもよい。たとえば、電力管理部２３における電力供給を管理する機能や通信部２４は、ＣＰＵ１０によって実現される機能であってもよい。
【００３１】
図４を参照して、子機１００Ｂは、ＣＰＵ１０と、ＲＯＭ１１と、ＲＡＭ１２と、電力入力部１７と、データ入出力部１８と電力管理部２３と、通信部２４と、電力転送部２５と、切替部２６とを含む。
【００３２】
電力入力部１７は、ケーブル差込口１５に接続された同軸ケーブル７００を介して親機１００Ａから電力の供給を受け付け、電力管理部２３に供給する。子機１００Ｂに電源ケーブル（図示せず）を接続可能な場合には、電力入力部１７は、接続部１６に接続された、商用電源に接続された電源ケーブル（図示せず）を介して商用電源から電力の供給を受け付け、電力管理部２３に供給する。
【００３３】
電力転送部２５は、電力管理部２３から供給された電力をＬＡＮケーブル９００Ｂを介して出力する。これにより、同軸ケーブル７００を介して入力された電力の少なくとも一部がカメラ５００に供給される。切替部２６は、スイッチ２２での指示に従って、電力転送部２５での電力出力のオン／オフを切り替える。
【００３４】
電力管理部２３は、同軸ケーブル７００を介して親機１００Ａから入力された電力の少なくとも一部を電力転送部２５に供給し、ＬＡＮケーブル９００Ｂを介して出力させる制御を行なう。子機１００Ｂに電源ケーブル（図示せず）を接続可能な場合には、電力管理部２３は、商用電源から入力された電力の少なくとも一部を電力転送部２５に供給し、ＬＡＮケーブル９００Ｂを介して出力させる制御を行なう。その際に、電力管理部２３は、切替部２６からの信号に基づいて電力転送部２５から電力を出力させるか否かを判断する。
【００３５】
通信部２４は、ＬＡＮケーブル９００Ｂを介して入力されたデータを同軸ケーブル７００を介して出力するよう、データ入出力部１８を制御する。また、通信部２４は、同軸ケーブル７００を介して入力されたデータをＬＡＮケーブル９００Ｂを介して出力するよう、データ入出力部１８を制御する。その際に、通信部２４は、必要に応じてデータの変換処理を実行してもよい。これにより、通信部２４は、上記の親機１００Ａの通信部２４と協働して、ＬＡＮケーブル９００Ａによって接続されたＰＣ３００と、同軸ケーブル７００によって接続された子機１００Ｂに接続されたカメラ５００とのデータ通信を中継する。
【００３６】
図４でも、子機１００Ｂのすべての構成がハードウェアであるものとしている。しかしながら、少なくとも一部の構成が、ＣＰＵ１０がＲＯＭ１１に記憶されているプログラムをＲＡＭ１２上に読み出して実行することによってＣＰＵ１０で実現される、ソフトウェアによる構成であってもよい。たとえば、電力管理部２３や通信部２４は、ＣＰＵ１０によって実現される機能であってもよい。
【００３７】
＜動作＞
図５〜図８は、本監視システムでの、電力供給の流れの様々なパターンを説明するための図である。画像データは、いずれの場合にも、カメラ５００から子機１００Ｂおよび親機１００Ａを介してＰＣ３００に入力される。なお、図中の「画像データ」はカメラ５００によって得られたデータであって、静止画、動画のいずれであってもよい。また、画像データには音声が含まれてもよい。また、図示されていない制御信号などが、ＰＣ３００から子機１００Ｂおよび親機１００Ａを介してカメラ５００に、または、親機１００Ａから子機１００Ｂに入力される。
【００３８】
図５は、親機１００Ａのスイッチ１４がオン、子機１００Ｂのスイッチ２２がオンされている場合の電力供給の流れを表わした図である。図５を参照して、親機１００Ａが商用電源から取り込んだ電力は、親機１００Ａで消費されると共に、少なくとも一部が子機１００Ｂとカメラ５００とに供給される。詳しくは、親機１００Ａから子機１００Ｂには同軸ケーブル７００を介して電力が供給される。同軸ケーブルを介した電力供給は同軸給電（ＰｏＣ）とも呼ばれる。子機１００Ｂからカメラ５００にはＬＡＮケーブル９００Ｂを介して電力が供給されるＬＡＮケーブルを介した電力供給はＰｏＥ供給やＰｏＥプラス給電とも呼ばれる。ＰｏＥは、米国に本部をもつ電気・電子技術にかかわる標準化団体であるＩＥＥＥ（Institute  of  Electrical  and  Electronics  Engineers）によってＩＥＥＥ８０２．３ａｆとして標準化されている。ＰｏＥプラスは、ＩＥＥＥによってＩＥＥＥ８０２．３ａｔとして標準化されている。このような電力供給により、コンセントがないなど商用電源から電力が取り込めない場所であっても、子機１００Ｂを同軸ケーブル７００で親機１００Ａに接続可能な場所であれば、カメラ５００をおよび子機１００Ｂを設置することができる。そのため、ユーザの所望する場所にカメラ５００Ｂを設置でき、監視システムの効果をより向上させることができる。また、子機１００Ｂも、コンセントがないなど商用電源から電力が取り込めない場所であっても、同軸ケーブル７００で親機１００Ａに接続可能な場所であればカメラ５００の近傍に設置することができる。これにより、子機１００Ｂとカメラ５００とを接続するＬＡＮケーブル９００Ｂを短くすることができる。ＬＡＮケーブルは一般的に外環境の影響を受けやすいため、ノイズによる画像データの劣化や漏電のおそれがある。子機１００Ｂとカメラ５００とを接続するＬＡＮケーブル９００Ｂを短くすることによって、カメラ５００からＰＣ３００に転送される画像の画質の劣化を抑えることができる。また、不要な電力消費を抑えることができる。
【００３９】
図６は、親機１００Ａのスイッチ１４がオフ、子機１００Ｂのスイッチ２２がオンされており、かつ、子機１００Ｂに電源ケーブルを接続可能な場合の電力供給の流れを表わした図である。図６を参照して、親機１００Ａが商用電源から取り込んだ電力は子機１００Ｂには供給されず、親機１００Ａで消費される。子機１００Ｂが商用電源から取り込んだ電力は子機１００Ｂで消費されると共に、少なくとも一部がカメラ５００に供給される。これにより、子機１００Ｂが商用電源から電力を取り込むことが可能な場合には、コンセントがないなど商用電源から電力が取り込めない場所であってもカメラ５００を設置することができる。その結果、ユーザの所望する場所にカメラ５００を設置でき、監視システムの効果をより向上させることができる。また、同軸ケーブルを介して電力を供給しない場合には、電力供給の際の同軸ケーブルの長さの制約（たとえば５００ｍ）を考慮することなく、データ通信可能な長さ（たとえば２ｋｍ）まで同軸ケーブル７００を延伸させることができる。そのため、監視したい個所がＰＣ３００より遠い位置であってもカメラ５００を設置することができる。さらに、親機１００Ａは、同軸ケーブル７００を介して電力供給をするか否かをスイッチ１４で設定可能である。そのため、図６の例のような電力供給が不要な場合には親機１００Ａから同軸ケーブル７００を介して電力供給を行なうことなく、不要な電力消費を抑えることができる。
【００４０】
図７は、親機１００Ａのスイッチ１４がオン（ＯＮ）、子機１００Ｂのスイッチ２２がオフ（ＯＦＦ）されており、かつ、カメラ５００に電源ケーブルを接続可能な場合の電力供給の流れを表わした図である。図７を参照して、親機１００Ａが商用電源から取り込んだ電力は、親機１００Ａで消費されると共に、少なくとも一部が子機１００Ｂに供給される。これにより、コンセントがないなど商用電源から電力が取り込めない場所であっても、同軸ケーブル７００で親機１００Ａに接続可能な場所であれば、カメラ５００の近傍に子機１００Ｂを設置することができる。これにより、子機１００Ｂとカメラ５００とを接続するＬＡＮケーブル９００Ｂを短くすることができる。子機１００Ｂとカメラ５００とを接続するＬＡＮケーブル９００Ｂを短くすることによって、カメラ５００からＰＣ３００に転送される画像の画質の劣化を抑えることができる。また、不要な電力消費を抑えることができる。さらに、子機１００Ｂは、ＬＡＮケーブル９００Ｂを介して電力供給をするか否かをスイッチ２２で設定可能である。そのため、図７の例のような電力供給が不要な場合には子機１００ＢからＬＡＮケーブル９００Ｂを介して電力供給を行なうことなく、不要な電力消費を抑えることができる。
【００４１】
図５〜図７を用いて説明された例は、いずれも、監視システムにカメラが１つ含まれる例である。子機１００Ｂの１つのＬＡＮポート１３から供給可能な電力の上限は、たとえば１５．４Ｗまたは３０Ｗと所定値に規定されているため、通常、親機１００Ａおよび子機１００Ｂからなる１組の通信機器セットに対してはカメラが１つ接続されることが想定されている。しかしながら、子機１００ＢがＬＡＮポート１３を複数含んでハブ機能を有する場合、あるいは、図８に示されたように子機１００Ｂにスイッチングハブが接続される場合、子機１００Ｂに複数のカメラを接続することができる。
【００４２】
図８は、子機１００Ｂにスイッチングハブを介して複数のカメラ５００Ａ〜５００Ｃが接続された場合であって、親機１００Ａのスイッチ１４がオン、子機１００Ｂのスイッチ２２がオフされており、かつ、スイッチングハブに電源ケーブルを接続可能な場合の電力供給の流れを表わした図である。図８を参照して、親機１００Ａが商用電源から取り込んだ電力は、親機１００Ａで消費されると共に、少なくとも一部が子機１００Ｂに供給される。さらに、スイッチングハブが商用電源から取り込んだ電力は、スイッチングハブで消費されると共に、少なくとも一部がＬＡＮケーブルを介して複数のカメラ５００Ａ〜５００Ｃそれぞれに供給される。これにより、本監視システムに複数のカメラを接続することが可能となり、よりユーザのニーズにあった監視を行なうことができる。
【００４３】
＜本実施の形態の効果＞
親機１００Ａ、子機１００Ｂが以上のように構成されることによって、本監視システムでは、画質の低下を抑えつつカメラを遠隔地に設置することができる。すなわち、親機１００Ａおよび子機１００ＢはＬＡＮケーブルではなく同軸ケーブルで接続されるため、壁面内などすでに同軸ケーブルが設置されている環境であれば当該同軸ケーブルに親機１００Ａおよび子機１００Ｂを接続するだけで、ＬＡＮケーブルを接続することなく容易に監視システムを構築することができる。たとえば、監視対象空間を監視室などの別室で監視する監視システムである場合、監視室に設置した親機１００Ａと監視空間対象に設置された子機１００Ｂとを壁面内に設置された同軸ケーブルで接続するだけで監視システムを構築することができる。
【００４４】
さらに、このようにＬＡＮケーブルではなく同軸ケーブルを利用して親機１００Ａと子機１００Ｂとの間で画像データや制御信号をやり取りするため、データへのノイズの混入を抑えることができる。そのため、画質の向上や制御精度の向上を図ることができる。
【００４５】
さらに、親機１００Ａから子機１００Ｂ、カメラ５００に、または子機１００Ｂからカメラ５００に電力供給を行なうことができるため、カメラ５００の設置位置や子機１００Ｂの設置位置が電源の位置によって制約されることがなくなる。そのため、よりユーザのニーズに応じた監視システムを構築することができる。さらに、親機１００Ａでは電力供給のオン、オフをスイッチで選択可能であるため、親機１００Ａが不要な電力供給を行なうことがない。また、子機１００Ｂにも上記スイッチを設けることで、同様に、子機１００Ｂが不要な電力供給を行なうことがない。
【００４６】
なお、以上の説明では、親機１００Ａおよび子機１００Ｂを含む通信機器セットにカメラ５００およびＰＣ３００を接続することで監視システムが構築される例が用いられている。しかしながら、通信機器セットに接続される監視のために用いられる装置はカメラに限定されない。また、通信機器セットに接続される監視者の用いる装置はＰＣに限定されない。通信機器セットの親機１００Ａ側に監視者の用いる装置、子機１００Ｂ側に監視のために用いられる装置が接続されれば、双方の装置はどのような装置であってもよい。監視者の用いる装置は、タブレットなどのウエアラブルな端末装置や音声出力装置などであってもよい。監視のために用いられる装置は、マイク、温度計、赤外線センサなどの各種センサなどであってもよい。
【００４７】
開示された特徴は、１つ以上のモジュールによって実現される。たとえば、当該特徴は、回路素子その他のハードウェアモジュールによって、当該特徴を実現する処理を規定したソフトウェアモジュールによって、または、ハードウェアモジュールとソフトウェアモジュールとの組み合わせによって実現され得る。
【００４８】
上述の動作を通信機器に実行させるための、１つ以上のソフトウェアモジュールの組み合わせであるプログラムとして提供することもできる。このようなプログラムは、コンピュータに付属するフレキシブルディスク、ＣＤ−ＲＯＭ（Compact  Disk-Read  Only  Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００４９】
なお、本開示にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本開示にかかるプログラムに含まれ得る。
【００５０】
また、本開示にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本開示にかかるプログラムに含まれ得る。
【００５１】
提供されるプログラム製品は、ハードディスクなどのプログラム格納部にインストールされて実行される。なお、プログラム製品は、プログラム自体と、プログラムが記録された記録媒体とを含む。
【００５２】
今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【符号の説明】
【００５３】
１０  ＣＰＵ、１１  ＲＯＭ、１２  ＲＡＭ、１３  ポート、１４，２２  スイッチ、１５  ケーブル差込口、１６  接続部、１７  電力入力部、１８  データ入出力部、１９  電力出力部、２０，２６  切替部、２３  電力管理部、２４  通信部、２５  電力転送部、１００Ａ  親機、１００Ｂ  子機、３００  ＰＣ、５００，５００Ａ，５００Ｂ，５００Ｃ  カメラ、７００  同軸ケーブル、９００Ａ，９００Ｂ  ケーブル。
【図１】
0003199753.tif 000003
【図２】
0003199753.tif 000004
【図３】
0003199753.tif 000005
【図４】
0003199753.tif 000006
【図５】
0003199753.tif 000007
【図６】
0003199753.tif 000008
【図７】
0003199753.tif 000009
【図８】
0003199753.tif 000010